(57)【要約】【課題】覗き窓の高温部に直接触れることを防止して安全に使用できることを目的とする。【解決手段】覗き窓４０は、グリル上開口３１より大きい略長方形状の透明の耐熱ガラスで形成された外窓ガラス４１と内窓ガラス４２と外窓ガラス４１の外周を上から覆うアルミダイキャスト製の枠体４３とを備える。このように、覗き窓４０を外窓ガラス４１と内窓ガラス４２との二重構造とする、すなわち、内窓ガラス４２を正面パネル２０面よりも奥に配置し、外窓ガラス４１で覆う構造としているため、燃焼排気と直接接触し最も高温となる内窓ガラス４２に使用者が直接触れることはなく、火傷を防止して安全に使用できる。【選択図】　図１
2004121596.tif 000002
【特許請求の範囲】
【請求項１】
被調理物を収納して加熱調理するためのグリル庫と、燃料ガスを燃焼するバーナとを備えるとともに、
器体正面パネルの上部と下部とに、それぞれ上記グリル庫と連通する開口部を設け、
上記下部開口部には、上記被調理物を上記グリル庫内に出し入れするための開閉扉を設け、
上記上部開口部には、上記被調理物を視認可能な覗き窓を上記開閉扉とは連動させずに着脱可能に設けたグリルにおいて、
上記覗き窓は、上記器体正面パネルに設けたパネル開口部に取り付けられる取付窓枠と、上記器体正面パネルよりも奥に配置されパネル開口部に向い合うグリル庫開口部を正面側から覆うガラス等の可透視板と、上記可透視板をグリル庫開口部の周縁に正面側から押しつける付勢手段とを備え、
上記取付窓枠を上記器体正面パネルのパネル開口部に取り付けた時、上記可透視板が上記付勢手段により付勢されて上記グリル庫開口部を密閉することを特徴とするグリル。
【請求項２】
上記覗き窓は、上記取付窓枠内に、上記器体正面パネルと略同一面上に別の可透視板が装着された二重窓構造であることを特徴とする請求項１記載のグリル。
【請求項３】
上記覗き窓は、上記取付窓枠内に、上記可透視板に指が直接触れないようにするガード体が、上記器体正面パネルと略同一面上に装着されていることを特徴とする請求項１記載のグリル。
【請求項４】
上記覗き窓の可透視領域を横長の略楕円形に形成するとともに、上記器体のトッププレートが上記器体正面パネルより手前に突出する廂部分を、上記可透視領域形状に整合させて窪ませたことを特徴とする請求項１〜３のいずれか１項に記載のグリル。
【請求項５】
上記覗き窓の上記器体正面パネルからの取り外しを規制するチャイルドロックを設けたことを特徴とする請求項１〜４のいずれか１項に記載のグリル。
【発明の詳細な説明】
【０００１】
【発明の属する技術分野】
本発明は、グリル庫内の様子を確認するための覗き窓を備えたグリルに関する。
【０００２】
【従来の技術】
従来から、グリル庫内に被調理物を載置してバーナにより加熱調理するグリルが知られている。こうしたグリルは、一般にテーブルコンロに組み合わされており、その正面操作パネル面に被調理物を出し入れする開口が設けられる。
この開口には、被調理物を載置した受皿（焼網付）を出し入れする取手と、取手の引出し・押込み操作に連動して開閉する覗き窓とが設けられ、調理時には取手を押込むことにより覗き窓が閉じて開口が密閉される。
しかし、覗き窓は被調理物の出し入れに連動して開閉するものであるため、どうしてもグリル庫の前面開口部との間に隙間が生じやすく、燃焼排気が漏れてしまうという不具合が生じていた。特に、グリル庫内に燃焼排気を滞留させて調理する、所謂こもり焼調理タイプのグリルにおいては、この排気漏れは問題であった。
そこで、特許文献１にて示されるグリルでは、図１６に示すように、覗き窓１４０を取手１１５と連動させずに正面操作パネルにはめ込むようにしてこの問題を解決している。
【０００３】
【特許文献１】
特開２００２−１６８４５０号公報
【０００４】
【発明が解決しようとする課題】
しかしながら、このグリルでは、覗き窓１４０のガラス板１４０ａがグリル庫１３０内の燃焼排気と直接接触するものであり、しかも、そのガラス板１４０ａ面が正面操作パネルと同一平面上に設けられるため、使用者が高温のガラス板１４０ａに触ってしまうおそれがあった。
また、覗き窓１４０の装着方法が、正面操作パネルに形成された正面開口部にガラス板１４０ａを直接押込んではめるものであるため装着しにくいという問題もあった。しかも、ガラス板１４０ａを正しく装着できないと燃焼排気が漏れてしまい、当初の課題も解決できず、調理性能、熱効率に悪影響を与えてしまう。また、排気漏れによるトッププレート１０２の加熱という課題も発生する。
本発明のグリルは上記課題を解決し、覗き窓の高温部に直接触れることを防止して安全に使用できることを目的とする。
【０００５】
【課題を解決するための手段】
上記課題を解決する本発明の請求項１記載のグリルは、
被調理物を収納して加熱調理するためのグリル庫と、燃料ガスを燃焼するバーナとを備えるとともに、
器体正面パネルの上部と下部とに、それぞれ上記グリル庫と連通する開口部を設け、
上記下部開口部には、上記被調理物を上記グリル庫内に出し入れするための開閉扉を設け、
上記上部開口部には、上記被調理物を視認可能な覗き窓を上記開閉扉とは連動させずに着脱可能に設けたグリルにおいて、
上記覗き窓は、上記器体正面パネルに設けたパネル開口部に取り付けられる取付窓枠と、上記器体正面パネルよりも奥に配置されパネル開口部に向い合うグリル庫開口部を正面側から覆うガラス等の可透視板と、上記可透視板をグリル庫開口部の周縁に正面側から押しつける付勢手段とを備え、
上記取付窓枠を上記器体正面パネルのパネル開口部に取り付けた時、上記可透視板が上記付勢手段により付勢されて上記グリル庫開口部を密閉することを要旨とする。
【０００６】
また、本発明の請求項２記載のグリルは、上記請求項１記載のグリルにおいて、
上記覗き窓は、上記取付窓枠内に、上記器体正面パネルと略同一面上に別の可透視板が装着された二重窓構造であることを要旨とする。
【０００７】
また、本発明の請求項３記載のグリルは、上記請求項１記載のグリルにおいて、
上記覗き窓は、上記取付窓枠内に、上記可透視板に指が直接触れないようにするガード体が、上記器体正面パネルと略同一面上に装着されていることを要旨とする。
【０００８】
また、本発明の請求項４記載のグリルは、上記請求項１〜３のいずれか１項に記載のグリルにおいて、
上記覗き窓の可透視領域を横長の略楕円形に形成するとともに、上記器体のトッププレートが上記器体正面パネルより手前に突出する廂部分を、上記可透視領域形状に整合させて窪ませたことを要旨とする。
【０００９】
また、本発明の請求項５記載のグリルは、上記請求項１〜４のいずれか１項に記載のグリルにおいて、
上記覗き窓の上記器体正面パネルからの取り外しを規制するチャイルドロックを設けたことを要旨とする。
【００１０】
上記構成を有する本発明の請求項１記載のグリルは、覗き窓の取付窓枠を器体正面パネルのパネル開口部に取り付けるだけで、その奥で可透視板がグリル庫開口部を覆うと共に、付勢手段が可透視板をグリル庫開口部の周縁に押しつけてグリル庫開口部を密閉する。
このため、可透視板が器体正面パネルよりも奥側に配置されることとなり、使用者が可透視板を触り、やけどをする等といったおそれも低減される。
【００１１】
また、本発明の請求項２記載のグリルは、取付窓枠内に別の可透視板が装着された二重窓構造であるため、グリル庫開口部を覆う高温の可透視板を使用者が直接触ることはなく、また、２枚の可透視板の間の隙間により取付窓枠内の可透視板が低温に維持されるため、安全性が一層向上する。
【００１２】
また、本発明の請求項３記載のグリルは、取付窓枠内にガード体が装着されているため、たとえ使用者の指が可透視板を触れそうになっても、指がガード体に当たって可透視板には触ることがなく安全性が一層向上する。
【００１３】
また、本発明の請求項４記載のグリルは、覗き窓の可透視領域形状にあわせてトッププレートの廂部分を窪ませているため、使用者が斜め上から覗き窓を覗いてもトッププレートがグリル庫内の視認に邪魔にならない。また、可透視領域の形状が横長の略楕円形状であるため、トッププレートの窪みも、中央部を略楕円形状に窪ませるだけですみ、一方で、グリル庫の中央部分の奥行方向の視認空間が十分取れるため視認性についても問題ない。
【００１４】
また、本発明の請求項５記載のグリルは、チャイルドロックを解除しないと覗き窓が取り外し可能とならないため、子供等の不用意な取り外しの危険がない。
【００１５】
【発明の実施の形態】
以上説明した本発明の構成・作用を一層明らかにするために、以下本発明のグリルの好適な実施形態について説明する。
【００１６】
本発明の一実施形態としてのグリル付きこんろについて図１〜図７を用いて説明する。
グリル付きテーブルこんろ１（以下、単にグリル付きこんろ１と呼ぶ）は、図２に示すように、トッププレート２に２組のこんろバーナ３ａ，３ｂが設けられ、それらの周囲に設けられた五徳４ａ，４ｂ上に図示しない調理鍋を載せ、グリル付きこんろ１の前面に設けられる操作ボタン５ａ，５ｂを押すことによりそれぞれのこんろバーナ３ａ，３ｂが点火され、調理鍋が加熱されるものである。
こんろバーナ３ａ，３ｂ間の器体の中心部には、魚等の被調理物Ｆを焼くためのグリル６が設けられ、操作ボタン５ｃを押して点火し加熱調理が行われる。また、器体の正面パネル２０は、上部が手前側に下り傾斜し、下部が手前側に昇り傾斜しており、側面から見ると略くの字状に形成される。
また、正面パネル２０より前方に突出したトッププレート２の廂部２ａは、後述するように横長の半楕円形状に窪み形成されている。
【００１７】
このグリル６は、図１に示すように、被調理物Ｆを収納して加熱するグリル庫３０を備える。グリル庫３０の前面上部は、正面パネル２０の上部と平行に形成され、グリル庫３０の前面下部は、鉛直方向に形成される。
このグリル庫３０は、上段左右側面に設けられ燃料ガスを燃焼させて被調理物Ｆを加熱する全一次空気式のグリルバーナ７と、中段位置に被調理物Ｆを載せる焼網８と、底面に設けられ焼網８を載せたまま手前にスライドさせて引き出すことができる受皿９とを備える。受皿９は、被調理物Ｆから落下する焼脂Ｇを受けるための浅い皿で、上面がフッ素コーティングしてある。
【００１８】
グリルバーナ７は、多孔質セラミックスの平面プレートに多数の小炎口を貫通させた燃焼面を有し、燃焼に必要な空気のほとんどを一次空気として吸入する全一次空気式自然燃焼バーナで、その燃焼面はグリル庫３０の奥行方向に沿って形成され、鉛直面に対してやや上方に傾けて設けられる。尚、グリルバーナ７に臨んで図示しない点火電極が設けられる。
【００１９】
グリル庫３０の後方には、上方に開口する排気口１０を備えた排気室１１が仕切壁１２を介して並設され、仕切壁１２の下部にグリル庫３０と連通する連通口１３が、その上端が収納時の焼網８高さとほぼ同じ位置に開口する。
排気室１１の上部には、複数の通気孔を形成する多孔板を用いて形成したステンレス製の遮炎装置１４を、排気室１１を流れる燃焼排気の全てが多孔板を通過するように燃焼排気の流れ方向に沿って設置する。
【００２０】
図１、図３に示すように、グリル庫３０の前面上部には、グリル庫３０内を観察するためのグリル上開口３１（本発明のグリル庫開口部に相当する）が形成され、前面下部には、グリル庫３０内に被調理物Ｆを出し入れするためのグリル下開口３２が形成される。グリル上開口３１は、横幅がほぼグリル庫３０の横幅と等しい横長の略楕円形状に形成され、グリル下開口３２は、横幅がほぼグリル庫３０の横幅と等しい長方形状に形成される。また、グリル下開口３２の高さは、このグリル下開口３２を通して受皿９の上に置いた焼網８に被調理物Ｆを載せてグリル庫３０内に出し入れできる程度の高さに設定される。
そして、正面パネル２０の中央下部には、グリル下開口３２と連通した扉開口部２２が形成される。つまり、被調理物Ｆは、グリル下開口３２と扉開口部２２とを通ってグリル庫３０内に出し入れされる。
【００２１】
この扉開口部２２とグリル下開口３２とには、受皿９の手前側に脱着自在に取り付けられたグリル扉１５が開閉自在に設けられる。グリル扉１５には、取手部１５ａが設けられる。そして、グリル扉１５で扉開口部２２とグリル下開口３２とを閉じた際には、グリル扉１５の内側がグリル下開口３２の周縁に当接することによって、グリル庫３０と正面パネル２０との間の気密性が保たれる。
【００２２】
正面パネル２０の中央上部には、グリル上開口３１と連通した窓開口部２１（本発明のパネル開口部に相当する）が設けられる。そして、この窓開口部２１とグリル上開口３１とにグリル庫３０内を観察するための覗き窓４０が着脱自在に設けられる。窓開口部２１の器具正面から見て左端には、後述する覗き窓４０の枠体４３の引掛け片４５を引掛けるための切り欠き部２３が形成される（図４参照）。また、窓開口部２１内の左側と右側とには、それぞれの枠体４３との当設面となる幅細板２４と幅太板２５とが形成される。
【００２３】
次に、覗き窓４０の構造及び取付方法について図５，図６を用いて説明する。
覗き窓４０は、グリル上開口３１より大きい略長方形状の透明の耐熱ガラスで形成された外窓ガラス４１と内窓ガラス４２と外窓ガラス４１の外周を覆うアルミダイキャスト製の枠体４３（本発明の取付窓枠に相当する）とを備える。
枠体４３は、横長の略楕円形状をしており、その中心部に横長で略楕円形状の覗き穴４４が開口される。また、枠体４３には、窓開口部２１の切り欠き部２３に引掛けるための引掛け片４５が形成される。
【００２４】
この覗き窓４０は、枠体４３の裏面から外窓ガラス４１を押しつけて覗き穴４４を塞ぎ（枠体４３の裏面は図５中では上側にあたる）、外窓ガラス４１の左右の端を金属製のガラス押え４６で上から押えて固定ビス４７で止めることによって、枠体４３と外窓ガラス４１とを固定する。このようにして枠体４３と外窓ガラス４１とを一体化すると、枠体４３と外窓ガラス４１とは略同一平面となる。尚、ここでの説明における上下方向は、図５中における上下方向に相当する。
ガラス押え４６は、断面が略コの字状に形成され、互いに向い合わせて左右に配置される。ガラス押え４６は、上部にストッパー４６ａが形成され、下部にバネ受け面４６ｂが形成され、左右の辺にはＴ字状のガイド片４６ｃが形成される。そして、左右のガラス押え４６の間に、内窓ガラス４２がバネ受け面４６ｂとの間に付勢バネ４８を挟み込んで配置される。従って、内窓ガラス４２は、付勢バネ４８によってガラス押え４６のストッパー４６ａ側に押しつけられる。
内窓ガラス４２を付勢バネ４８の付勢力よりも大きな力で押すと、内窓ガラス４２は、左右のガラス押え４６で囲まれた空間内をガイド片４６ｃに沿って下方に移動する。また、引掛け片４５とは反対側のガラス押え４６の中面には棒通し穴４６ｄが開口される。
【００２５】
窓開口部２１の右側には、正面パネル２０の裏側で、図６，図７に示すような覗き窓４０を固定するための固定装置５０が備えられる。尚、図６は覗き窓４０を固定している場合の説明図であり、図７は覗き窓４０を外す場合の説明図である。
固定装置５０は、コの字状の固定枠５１と、途中で棒径が変化して段部５２が形成されるスライド棒５３と、スライド棒５３を図面左側に付勢する固定バネ５４と、スライド棒５３を左右に操作するつまみ５５とから構成される。固定枠５１の両側の面には、それぞれ同じ位置に丸開口５１ａ，５１ｂが設けられており、この丸開口５１ａ，５１ｂにスライド棒５３が挿通される。
また、スライド棒５３にはリング状のバネ受け５６が形成されており、このバネ受け５６と固定枠５１の覗き窓４０とは反対側（図面では右側）の面との間に固定バネ５４が配設される。従って、スライド棒５３は固定バネ５４によって覗き窓４０側（図面では左側）に、段部５２が固定枠５１と当設するまで押しつけられる。また、つまみ５５を右側に操作するとスライド棒５３は覗き窓４０と反対側に移動する。
【００２６】
ここで、覗き窓４０の取付方法について説明する。
まず、つまみ５５を操作してスライド棒５３を右側にしておく。そして、覗き窓４０の枠体４３を持ち、引掛け片４５を窓開口部２１の切り欠き部２３に引掛けて、覗き窓４０を窓開口部２１に押し込んでいくわけであるが、押し込んでいくと、途中で内窓ガラス４２がグリル上開口３１の周縁に当設する。さらに押し込むと内窓ガラス４２はガラス押え４６内を手前側に移動し付勢バネ４８は縮められる。
覗き窓４０は、枠体４３の左右の縁が窓開口部２１に形成された幅細板２４と幅太板２５とに当接するまで窓開口部２１内に押し込まれる。この際、枠体４３及び外窓ガラス４１が正面パネル２０と略同一平面となるように枠体４３は形成されている。
【００２７】
覗き窓４０をいっぱいまで押し込んだらつまみ５５を左側に操作する（またはつまみ５５から手を離す）と、スライド棒５３が覗き窓４０側に移動し、ガラス押え４６に形成された棒通し穴４６ｄに挿通して、覗き窓４０を窓開口部２１に固定する。
覗き窓４０を外すときは、つまみ５５を右側に操作すると、スライド棒５３と棒通し穴４６ｄとの係合が外れ、付勢バネ４８の付勢力によって覗き窓４０自体が外側に押され飛び出してくるため簡単に取り外すことができる。
【００２８】
覗き窓４０の上方に位置するトッププレート２の廂部２ａは、図２に示すように、略楕円形状の枠体４３にあわせて、すなわち、グリル庫３０内の可視領域となる略楕円形状の覗き穴４４にあわせて、横長の半楕円形状に窪み形成される。このため、使用者が斜め上からグリル庫３０内を覗いても、トッププレート２によって覗き窓４０への視界が遮られることはなく、かつ、グリル庫３０内の採光も十分にとれるようになるのでグリル庫３０内が見やすくなる。
【００２９】
上述したグリル付きこんろ１によれば、操作ボタン５ｃを押すと、グリルバーナ７にガスが供給され、図示しない点火電極からの連続スパークにより直接点火され、燃焼が開始される。発生した燃焼排気は、高温であるため図１中の破線矢印で示すように、連通口１３より上方のグリル庫３０内で充満したのち連通口１３から排気室１１にあふれて、上方の排気口１０より外部へ排出される。
【００３０】
従って、グリル庫３０の上部に溜まった高温の燃焼排気により被調理物Ｆを加熱するため、熱エネルギーを有効に利用できガス消費量が少なく省エネとなる。さらに、グリル庫３０の正面側の気密性が保たれているため、燃焼排気がグリル庫３０の正面側から無駄に漏れ出すことはなく、全ての燃焼排気が排気室１１を通って排気口１０から排出されるので、より効率よく被調理物Ｆを加熱調理することができる。
しかも、グリル庫３０の正面側の気密性を確保するための覗き窓４０の取付操作は、覗き窓４０の枠体４３を持って窓開口部２１にはめ込むだけで、内窓ガラス４２が付勢バネ４８によって押されてグリル上開口３１を確実に密閉する非常に簡単な操作であり、取付ミスがほとんど生じない。
【００３１】
更に、覗き窓４０を外窓ガラス４１と内窓ガラス４２との二重構造とする、すなわち、内窓ガラス４２を正面パネル２０面よりも奥に配置し、外窓ガラス４１で覆う構造としているため、燃焼排気と直接接触し最も高温となる内窓ガラス４２に使用者が直接触れることはなく、火傷を防止して安全に使用できる。また、外窓ガラス４１と内窓ガラス４２との間の空間は断熱層となり、外窓ガラス４１へのグリルバーナ７の燃焼熱の伝達を抑制する。このため、直接手を触れる可能性がある外窓ガラス４１を低温に維持でき、安全性が一層向上する。
更に、グリル庫３０や内窓ガラス４２を使用者の手が触れる正面パネル２０面とは接触させずその奥に配置しているため、正面パネル２０の過熱を防止でき一層安全に使用できる。
【００３２】
また、枠体４３及び外窓ガラス４１が正面パネル２０面と略同一平面となるように枠体４３と外窓ガラス４１とを形成しているため、覗き窓４０が衣服等に引っかかったりすることもなく使い易い。さらに、煮汁等がこぼれおちても溜まりにくく掃除がしやすい。しかも、正面パネル２０をすっきりとまとめることができデザイン的にも優れたものとなる。
【００３３】
また、正面パネル２０の上部を手前側に下り傾斜させると共に、その面と向い合うグリル庫３０上部も平行に下り傾斜させ、外窓ガラス４１と内窓ガラス４２とをこれらの面と平行に配置しているため、窓面が斜め上方に向けられ、上方からでもグリル庫３０内が見やすくなる。しかも、使用者と覗き窓４０面とのなす角度が９０°に近づくため、室内の照明の反射光が目に入りにくくなって、視認性が一層向上する。さらに、外窓ガラス４１と内窓ガラス４２とを平行に設けているため、一層グリル庫３０内が見やすい。
【００３４】
また、覗き窓４０の可透視領域、すなわち覗き穴４４の形状にあわせてトッププレート２の廂部２ａを窪ませているため、使用者が斜め上から覗き窓４０を覗いてもトッププレート２がグリル庫３０内の視認の邪魔とはならない。
さらに、覗き穴４４の形状が横長の略楕円形状であるため、トッププレート２の窪みも、中央部を半楕円形状に窪ませるだけですみ、トッププレート２の廂面積を十分確保できる。このため、器体正面パネル２０を煮汁等の落下から保護することができる。しかも、トッププレート２に角張った窪みが形成されないため、衣服等が引っ掛かることもなく安全である。また、覗き窓４０の可透視領域が横長の略楕円形状であっても、グリル庫３０の中央部分の奥行方向の視認空間が十分取れるため視認性についても問題ない。
【００３５】
また、覗き窓４０は、つまみ５５を右側に操作するだけで簡単に取り外すことができるため、覗き窓４０の掃除が容易となり、グリル庫３０内の視認性を長期に渡って良好に維持できる。しかも、覗き窓４０は、二重構造ではあるものの、全てが一体形成されているため、取り外す際にも部材がばらばらとならず取り扱い易い。
【００３６】
以上本発明の実施形態について説明したが、本発明はこうした実施形態に何等限定されるものではなく、本発明の要旨を逸脱しない範囲において、種々なる態様で実施し得ることは勿論である。
例えば、覗き窓４０の取り外しを規制するチャイルドロック機構を備えても良い。
チャイルドロック機構６０について、図８を用いて説明する。
この変形例では、つまみ５５とスライド棒５３とを直接固着するのではなく、スライド棒５３を中心に回動自在に設けた連結棒６７を介してつまみ５５とスライド棒５３とを接続する。また、連結棒６７は、つまみ５５とは反対側に延設される。そして、連結棒６７の終端には、引っ張りバネ６８を取り付け、図面上方に引っ張る。これによって、つまみ５５は、下方に押しつけられる。さらに、略コの字上の規制枠６９がコの字の開口方向を下方に向け、その間に連結棒６７の終端側が係合するように設けられる。
尚、この連結棒６７と規制枠６９とが係合している位置が、棒通し穴４６ｄにスライド棒５３が挿通した覗き窓４０を固定している位置である。
【００３７】
次に、このようなチャイルドロック機構６０の動作について説明する。
覗き窓４０を固定している状態では、図８に示すように連結棒６７の終端が引っ張りバネ６８によって引っ張られており、連結棒６７が規制枠６９に係合しているため、つまみ５５を右側に動かして覗き窓４０を外すことはできない。覗き窓４０を外す場合には、つまみ５５を引っ張りバネ６８の力に逆らうように上方へと動かすと、連結棒６７と規制枠６９との係合が外れるので、つまみ５５を右側に動かすことができるようになる。
従って、このようなチャイルドロック機構６０を設けることによって、いたずらに覗き窓４０が外されることを防止して、安全に使用することができる。
【００３８】
また、本実施形態では、枠体４３に外窓ガラス４１を設けて、覗き窓４０を二重構造としているが、外窓ガラス４１を備えない構成であっても構わない。この場合には、枠体４３の覗き穴４４に無理やり指を突っ込めば内窓ガラス４２に触れることはできるものの、内窓ガラス４２を正面パネル２０よりも奥に設けることによって手を触れにくくしているため、覗き窓のガラス板が正面パネル２０前面に剥き出しになっている従来のグリルに比べて安全に使用できる。
また、図９に示すように、枠体４３の覗き穴４４に外窓ガラス４１の代わりに格子７１（本発明のガード体に相当する）を設けて、指が入ることを防止するようにしても構わない。
【００３９】
また、本実施形態では、覗き窓４０の窓開口部２１への固定の仕方として固定装置５０を用いた例を示しているがこれに限ったものではない。
例えば、図１０に示すように、枠体４３と正面パネル２０とをビス７２で止めることによって固定しても良い。
また、図１１，図１２に示すように、窓開口部２１内の両脇に回動可能にＴ字状の回動つまみ７３を設け、枠体４３の両脇に縦穴７４を開口し、この縦穴７４に回動つまみ７３を通して覗き窓４０を窓開口部２１に取り付け、回動つまみ７３を９０°回転させて固定するような構造であってもよい。尚、図１２（ａ）が回動つまみ７３を差し込んだ際の説明図であり、図１２（ｂ）が回動つまみ７３を回転させて固定した際の説明図である。
また、図１３に示すように、窓開口部２１内の両脇に頭部７６を内側に曲折した板バネ７５を設け、枠体４３の両脇に通し穴７７を開口し、板バネ７５を外側に曲げながら通し穴７７に挿通させるようにして覗き窓４０を窓開口部２１に取り付け、板バネ７５の頭部７６で枠体４３を押さえつけるようにして固定する構造であっても良い。尚、図１３（ａ）が通し穴７７に板バネ７５を通している際の説明図であり、図１３（ｂ）が板バネ７７の頭部７６で固定している際の説明図である。
【００４０】
また、本実施形態のグリル６のように、覗き窓４０をグリル扉１５の開閉とは連動させない構造とすると、従来のグリルに比べ被調理物Ｆを取り出すための開口部の上端位置が下がってしまう。そこで、グリル扉１５をグリル庫３０から引き出したときには焼網を低い位置に、押し込んだときには高い位置に昇降動させる焼網昇降装置を備えるようにしても良い。
例えば、図１４，図１５に示すように、グリル庫３０の後方壁面に、手前側が高く奥側に向かうにつれて漸次低くなるテーパ状の当接部８１が形成されたガイド部材８２を設けると共に、支点８３を中心に回動して焼網８４を昇降させる昇降部材８５を焼網８４に連繋して設け、昇降部材８５の回動作用部には、受皿９の押し込み途中でガイド部材８２の当接部８１に当接し、押し込み力で当接部８１に沿って転動するローラー８６を備えた焼網昇降装置８０を用いる。
【００４１】
このような焼網昇降装置８０では、受皿９をグリル庫３０内に押し込んだ時（図１４）には、ローラー８６が当接部８１に当接し、押し込み力で当接部８１に沿って転動しながら下方に案内されることで、昇降部材８５を回動させ焼網８４を上昇させる。すなわち、被調理物Ｆを高い位置でグリル庫３０内に収納できる。
逆に、受皿９を引き出した時（図１５）には、ローラー８６が当接部８１から離れるため、焼網８４の自重により昇降部材８５が手前側に回動して焼網８４を下降させる。すなわち、被調理物Ｆを低い位置でグリル庫１５より引き出すことができる。
【００４２】
従って、焼網昇降装置８０を備えることによって、グリル下開口３２及び扉開口部２２の上端位置を下げることが可能になると共に、被調理物Ｆの厚みに関わらずグリル下開口３２及び扉開口部２２の周縁に接触することなく、焼網８４をスムーズに出し入れすることが可能となる。このため、従来のグリルに比べて被調理物Ｆを取り出すための開口部の上端位置が低くなっている本実施形態のようなグリル６においては、このような焼網昇降装置８０を備えることは非常に有用である。
尚、このような焼網昇降装置については、特開２００１−２５８７５５号公報に開示されているため詳細については省略する。
【００４３】
また、本実施形態では、グリル付きテーブルこんろにおいて説明したが、グリル付きビルトインこんろに適用しても差し支えない。
また、片面焼きグリルにおいて説明したが、焼網の上下にバーナを設けた両面焼きグリルに適用しても差し支えない。
【００４４】
【発明の効果】
以上詳述したように、本発明の請求項１記載のグリルによれば、取付窓枠を器体正面パネルに取り付けるだけで、その奥で可透視板が付勢手段により押されてグリル庫開口部を確実に密閉するため、その取付操作が非常に簡単であり、しかも、排気漏れも生じない。
また、グリル排気に接触する可透視板が器体正面パネル面よりも奥に位置するため使用者が触りにくく安全である。
【００４５】
更に、本発明の請求項２記載のグリルによれば、二重窓構造にしているため、外側の可透視板が低温に維持され安全性が一層向上する。また、外側の可透視板は、器体正面パネル面と略同一面上に設けられるため、衣服等に引っ掛かったりすることなく、また、煮汁等が溜まりにくく、デザイン的にもすっきりとまとめることができる。
【００４６】
更に、本発明の請求項３記載のグリルによれば、取付窓枠内にガード体が装着されているため、その奥に位置する高温の可透視板を使用者が直接触ることはなく、安全性が一層向上する。また、ガード体は、器体正面パネル面と略同一面上に設けられるため、衣服等に引っ掛かったりすることなく、デザイン的にもすっきりとまとめることができる。
【００４７】
更に、本発明の請求項４記載のグリルによれば、覗き窓の可透視領域形状にあわせてトッププレートの廂部分を窪ませているため、使用者が斜め上から覗き窓を覗いてもトッププレートがグリル庫内の視認に邪魔にならない。
また、可透視領域の形状が横長の略楕円形状であるため、トッププレートの窪みも、中央部を略楕円形状に窪ませるだけですみ、トッププレートの廂面積を十分確保できる。このため、器体正面パネルを煮汁等の落下から保護することができる。また、トッププレートに角張った窪みが形成されないため、衣服等が引っ掛かることもなく安全である。
また、覗き窓の可透視領域が横長の略楕円形状であっても、グリル庫の中央部分の奥行方向の視認空間が十分取れるため視認性についても問題ない。
【００４８】
更に、本発明の請求項５記載のグリルによれば、チャイルドロックを設けているために、いたずらに覗き窓が外されることもなく、安全に使用することができる。
【図面の簡単な説明】
【図１】本実施形態としてのグリル付きこんろを側面から見た断面図である。
【図２】本実施形態としてのグリル付きこんろの外観図である。
【図３】覗き窓を外したグリル付きこんろの外観図である。
【図４】切り欠き部の拡大図である。
【図５】本実施形態としての覗き窓の外観図である。
【図６】覗き窓及び固定装置を上面から見た断面図である（覗き窓固定時）。
【図７】覗き窓及び固定装置を上面から見た断面図である（覗き窓取り外し時）。
【図８】チャイルドロック機構の外観図である。
【図９】別の実施形態としての覗き窓の正面図である。
【図１０】別の実施形態としての覗き窓の固定方法を示す説明図である。
【図１１】別の実施形態としての覗き窓の固定方法を示す説明図である。
【図１２】別の実施形態としての覗き窓の固定方法を示す説明図である。
【図１３】別の実施形態としての覗き窓の固定方法を示す説明図である。
【図１４】焼網昇降装置を備えたグリル付きこんろを側面から見た断面図である（受皿収納時）。
【図１５】焼網昇降装置を備えたグリル付きこんろを側面から見た断面図である（受皿引き出し時）。
【図１６】従来例としてのグリル付きこんろを側面からみた断面図である。
【符号の説明】
２…トッププレート、２ａ…廂部、６…グリル、７…グリルバーナ、１５…グリル扉、２０…正面パネル、２１…窓開口部、２２…扉開口部、３０…グリル庫、３１…グリル上開口、３２…グリル下開口、４０…覗き窓、４１…外窓ガラス、４２…内窓ガラス、４３…枠体、４４…覗き穴、４８…付勢バネ、６０…チャイルドロック機構、７１…格子、Ｆ…被調理物。
【図１】
2004121596.tif 000003
【図２】
2004121596.tif 000004
【図３】
2004121596.tif 000005
【図４】
2004121596.tif 000006
【図５】
2004121596.tif 000007
【図６】
2004121596.tif 000008
【図７】
2004121596.tif 000009
【図８】
2004121596.tif 000010
【図９】
2004121596.tif 000011
【図１０】
2004121596.tif 000012
【図１１】
2004121596.tif 000013
【図１２】
2004121596.tif 000014
【図１３】
2004121596.tif 000015
【図１４】
2004121596.tif 000016
【図１５】
2004121596.tif 000017
【図１６】
2004121596.tif 000018